(57)【要約】  本発明の実施例は、信号伝送方法及び装置を提供し、当該方法は、第１端末デバイスがネットワークデバイスに少なくとも１つの第１シーケンスを送信することを含み、前記少なくとも１つの第１シーケンスは、前記第１端末デバイスのサポートするビームの数との第１対応関係を有し、この場合、ネットワークデバイスがビームを正確に測定することができ、端末デバイスが適切なビームを選択してアップリンクデータの伝送を行うことができる。
2019535195.tif 000002
【特許請求の範囲】
【請求項１】
第１端末デバイスがネットワークデバイスに少なくとも１つの第１シーケンスを送信することを含み、
前記少なくとも１つの第１シーケンスは、前記第１端末デバイスのサポートするビームの数との第１対応関係を有する、
ことを特徴とする信号伝送方法。
【請求項２】
前記第１対応関係は、前記少なくとも１つの第１シーケンスの各第１シーケンスが前記第１端末デバイスのサポートする１つのビームに対応するように示すために用いられ、
前記少なくとも１つの第１シーケンスの第１シーケンスの数が前記第１端末デバイスのサポートするビームの数と同じである、
ことを特徴とする請求項１に記載の信号伝送方法。
【請求項３】
前記第１端末デバイスがネットワークデバイスに少なくとも１つの第１シーケンスを送信することは、
前記第１端末デバイスが、同時刻、異なる周波数で前記ネットワークデバイスに前記少なくとも１つの第１シーケンスの各第１シーケンスをそれぞれ送信すること、又は、
前記第１端末デバイスが、異なる時刻、同じ周波数で前記ネットワークデバイスに前記少なくとも１つの第１シーケンスの各第１シーケンスをそれぞれ送信することを含む、
ことを特徴とする請求項１又は２に記載の信号伝送方法。
【請求項４】
前記第１端末デバイスがネットワークデバイスに少なくとも１つの第１シーケンスを送信する前に、前記方法が、さらに、
前記第１端末デバイスが、第２シーケンスを符号分割多重化の方式で拡張して前記少なくとも１つの第１シーケンスを取得することを含む、
ことを特徴とする請求項１〜３のいずれか１項に記載の信号伝送方法。
【請求項５】
前記少なくとも１つの第１シーケンスが、第３シーケンス及び第４シーケンスを含み、前記第３シーケンスと前記第４シーケンスとが、前記第１端末デバイスの１つのビームに対応し、
前記第１端末デバイスがネットワークデバイスに第１シーケンスを送信することは、
前記第１端末デバイスが第１時刻に前記ネットワークデバイスに前記第３シーケンスを送信し、第２時刻に前記ネットワークデバイスに前記第４シーケンスを送信することを含み、
前記第１時刻と前記第２時刻とが異なる時刻である、
ことを特徴とする請求項１に記載の信号伝送方法。
【請求項６】
前記第１端末デバイスが前記ネットワークデバイスに少なくとも１つの第１シーケンスを送信することは、
前記第１端末デバイスが、第１物理リソースにおいて前記ネットワークデバイスに前記少なくとも１つの第１シーケンスを送信することを含み、
前記第１物理リソースが前記第１端末デバイスのサポートするビームの数に対応する、
ことを特徴とする請求項１〜５のいずれか１項に記載の信号伝送方法。
【請求項７】
前記方法が、さらに、
前記第１端末デバイスが前記ネットワークデバイスに第５シーケンスを送信することを含み、
前記第５シーケンスは、前記第１端末デバイスの再送データの再送回数との第２対応関係を有する、
ことを特徴とする請求項１〜６のいずれか１項に記載の信号伝送方法。
【請求項８】
第１端末デバイスが前記ネットワークデバイスに第５シーケンスを送信することを含み、
前記第５シーケンスは、前記第１端末デバイスの再送データの再送回数との第２対応関係を有する、
ことを特徴とする信号伝送方法。
【請求項９】
ネットワークデバイスが第１端末デバイスにより送信された少なくとも１つの第１シーケンスを受信することと、
前記ネットワークデバイスが前記少なくとも１つの第１シーケンスに基づいて前記第１端末デバイスのサポートするビームの数を確定することと、を含み、
前記少なくとも１つの第１シーケンスは、前記第１端末デバイスのサポートするビームの数との第１対応関係を有する、
ことを特徴とする信号伝送方法。
【請求項１０】
前記第１対応関係は、前記少なくとも１つの第１シーケンスの各第１シーケンスが前記第１端末デバイスのサポートする１つのビームに対応するように示すために用いられ、
前記少なくとも１つの第１シーケンスの第１シーケンスの数が前記第１端末デバイスのサポートするビームの数と同じである、
ことを特徴とする請求項９に記載の信号伝送方法。
【請求項１１】
前記ネットワークデバイスが第１端末デバイスにより送信された少なくとも１つの第１シーケンスを受信することは、
前記ネットワークデバイスが、前記第１端末デバイスの同時刻、異なる周波数で送信された前記少なくとも１つの第１シーケンスの各第１シーケンスをそれぞれ受信すること、又は、
前記ネットワークデバイスが、前記第１端末デバイスの異なる時刻、同じ周波数で送信された前記少なくとも１つの第１シーケンスの各第１シーケンスをそれぞれ受信することを含む、
ことを特徴とする請求項９又は１０に記載の信号伝送方法。
【請求項１２】
前記少なくとも１つの第１シーケンスが、第３シーケンス及び第４シーケンスを含み、前記第３シーケンスと前記第４シーケンスとが、前記第１端末デバイスの１つのビームに対応し、
前記ネットワークデバイスが第１端末デバイスにより送信された少なくとも１つの第１シーケンスを受信することは、
前記ネットワークデバイスが、前記第１端末デバイスの第１時刻に送信された前記第３シーケンスを受信し、
前記第１端末デバイスが、前記第１端末デバイスの第２時刻に送信された前記第４シーケンスを受信することを含み、
前記第１時刻と前記第２時刻とが異なる時刻である
ことを特徴とする請求項９に記載の信号伝送方法。
【請求項１３】
前記ネットワークデバイスが第１端末デバイスにより送信された少なくとも１つの第１シーケンスを受信することは、
前記ネットワークデバイスが、前記第１端末デバイスの第１物理リソースにより送信された前記少なくとも１つの第１シーケンスを受信することを含み、
前記第１物理リソースが前記第１数のビームに対応し、
前記方法が、さらに、
前記ネットワークデバイスが、前記第２端末デバイスの第２物理リソースにより送信された少なくとも１つの第６シーケンスを受信することを含み、
前記第２物理リソースが前記第２数のビームに対応し、
前記第１数が前記第２数より大きく、前記第１物理リソースの時間領域リソースが前記第２物理リソースの時間領域リソースより大きく、及び／又は、前記第１物理リソースの周波数領域リソースが前記第２物理リソースの周波数領域リソースより大きい、
ことを特徴とする請求項９〜１２のいずれか１項に記載の信号伝送方法。
【請求項１４】
前記方法が、さらに、
前記ネットワークデバイスが、前記第１端末デバイスにより送信された第５シーケンスを受信することを含み、
前記第５シーケンスは、前記第１端末デバイスの再送データの再送回数との第２対応関係を有する、
ことを特徴とする請求項９〜１３のいずれか１項に記載の信号伝送方法。
【請求項１５】
ネットワークデバイスが、前記第１端末デバイスにより送信された第５シーケンスを受信することと、
前記ネットワークデバイスが前記少なくとも１つの第５シーケンスに基づいて前記第１端末デバイスの再送データの再送回数を確定することと、を含み、
前記第５シーケンスは、前記第１端末デバイスの再送データの再送回数との第２対応関係を有する、
ことを特徴とする信号伝送方法。
【請求項１６】
ネットワークデバイスに少なくとも１つの第１シーケンスを送信するように構成される送信モジュールを含み、
前記少なくとも１つの第１シーケンスは、前記装置のサポートするビームの数との第１対応関係を有する、
ことを特徴とする信号伝送装置。
【請求項１７】
前記第１対応関係は、前記少なくとも１つの第１シーケンスの各第１シーケンスが前記装置のサポートする１つのビームに対応するように示すために用いられ、
前記少なくとも１つの第１シーケンスの第１シーケンスの数が前記装置のサポートするビームの数と同じである、
ことを特徴とする請求項１６に記載の信号伝送装置。
【請求項１８】
前記送信モジュールは、具体的に、
同時刻、異なる周波数で前記ネットワークデバイスに前記少なくとも１つの第１シーケンスの各第１シーケンスをそれぞれ送信し、又は、
異なる時刻、同じ周波数で前記ネットワークデバイスに前記少なくとも１つの第１シーケンスの各第１シーケンスをそれぞれ送信するように構成される
ことを特徴とする請求項１６又は１７に記載の信号伝送装置。
【請求項１９】
処理モジュールをさらに含み、
前記処理モジュールは、ネットワークデバイスに少なくとも１つの第１シーケンスを送信する前に、第２シーケンスを符号分割多重化の方式で拡張して前記少なくとも１つの第１シーケンスを取得するように構成される、
ことを特徴とする請求項１６〜１８のいずれか１項に記載の信号伝送装置。
【請求項２０】
前記少なくとも１つの第１シーケンスが、第３シーケンス及び第４シーケンスを含み、前記第３シーケンスと前記第４シーケンスとが前記装置の１つのビーム対に対応し、
前記送信モジュールは、具体的に、
第１時刻に前記ネットワークデバイスに前記第３シーケンスを送信し、第２時刻に前記ネットワークデバイスに前記第４シーケンスを送信するように構成され、
前記第１時刻と前記第２時刻とが異なる時刻である、
ことを特徴とする請求項１６に記載の信号伝送装置。
【請求項２１】
前記送信モジュールは、具体的に、
第１物理リソースにおいて前記ネットワークデバイスに前記少なくとも１つの第１シーケンスを送信するように構成され、
前記第１物理リソースが前記装置のサポートするビームの数に対応する、
ことを特徴とする請求項１６〜２０のいずれか１項に記載の信号伝送装置。
【請求項２２】
前記送信モジュールは、さらに、
前記ネットワークデバイスに第５シーケンスを送信するように構成され、
前記第５シーケンスは、前記装置の再送データの再送回数との第２対応関係を有する、
ことを特徴とする請求項１６〜２１のいずれか１項に記載の信号伝送装置。
【請求項２３】
前記ネットワークデバイスに第５シーケンスを送信するように構成される送信モジュールを含み、
前記第５シーケンスは、前記装置の再送データの再送回数との第２対応関係を有する、
ことを特徴とする信号伝送装置。
【請求項２４】
第１端末デバイスにより送信された少なくとも１つの第１シーケンスを受信するように構成される受信モジュールと、
前記少なくとも１つの第１シーケンスに基づいて前記第１端末デバイスのサポートするビームの数を確定するように構成される確定モジュールと、を含み、
前記少なくとも１つの第１シーケンスは、前記第１端末デバイスのサポートするビームの数との第１対応関係を有する、
ことを特徴とする信号伝送装置。
【請求項２５】
前記第１対応関係は、前記少なくとも１つの第１シーケンスの各第１シーケンスが前記第１端末デバイスのサポートする１つのビームに対応するように示すために用いられ、
前記少なくとも１つの第１シーケンスの第１シーケンスの数が前記第１端末デバイスのサポートするビームの数と同じである、
ことを特徴とする請求項２４に記載の信号伝送装置。
【請求項２６】
前記受信モジュールは、具体的に、
前記第１端末デバイスが同じ時刻、異なる周波数で送信した前記少なくとも１つの第１シーケンスの各第１シーケンスをそれぞれ受信し、又は、
前記第１端末デバイスが異なる時刻、同周波数で送信した前記少なくとも１つの第１シーケンスの各第１シーケンスをそれぞれ受信するように構成される
ことを特徴とする請求項２４又は２５に記載の信号伝送装置。
【請求項２７】
前記少なくとも１つの第１シーケンスが、第３シーケンス及び第４シーケンスを含み、前記第３シーケンスと前記第４シーケンスとが、前記第１端末デバイスの１つのビームに対応し、
前記受信モジュールは、具体的に、
前記第１端末デバイスが第１時刻に送信した前記第３シーケンスを受信し、前記第１端末デバイスが第２時刻に送信した前記第４シーケンスを受信するように構成され、
前記第１時刻と前記第２時刻とが異なる時刻である
ことを特徴とする請求項２４に記載の信号伝送装置。
【請求項２８】
前記受信モジュールは、具体的に、
前記第１端末デバイスが第１物理リソースにおいて送信した前記少なくとも１つの第１シーケンスを受信し、前記第２端末デバイスが第２物理リソースにおいて送信した少なくとも１つの第６シーケンスを受信するように構成され、前記第１物理リソースが前記第１数のビームに対応し、前記第２物理リソースが前記第２数のビームに対応し、
前記第１数が前記第２数より大きく、前記第１物理リソースの時間領域リソースが前記第２物理リソースの時間領域リソースより大きく、及び／又は、前記第１物理リソースの周波数領域リソースが前記第２物理リソースの周波数領域リソースより大きい、
ことを特徴とする請求項２４〜２７のいずれか１項に記載の信号伝送装置。
【請求項２９】
前記受信モジュールは、さらに、
前記第１端末デバイスにより送信した第５シーケンスを受信するように構成され、
前記第５シーケンスは、前記第１端末デバイスの再送データの再送回数との第２対応関係を有する
ことを特徴とする請求項２４〜２８のいずれか１項に記載の信号伝送装置。
【請求項３０】
前記第１端末デバイスにより送信した第５シーケンスを受信するように構成される送信モジュールと、
前記少なくとも１つの第５シーケンスに基づいて前記第１端末デバイスの再送データの再送回数を確定するように構成される確定モジュールと、を含み、
前記第５シーケンスは、前記第１端末デバイスの再送データの再送回数との第２対応関係を有する、
ことを特徴とする信号伝送装置。
【発明の詳細な説明】
【技術分野】
【０００１】
本発明は通信分野に関し、特に、通信分野における信号伝送方法及び装置に関する。
【背景技術】
【０００２】
未来のネットワークシステム、例えば５Ｇ（ＮＲ：Ｎｅｗ  Ｒａｄｉｏ）システムにおいて、ビームアクセスの方法が導入されている。しかし、初期アクセス過程において、ネットワークデバイスと端末デバイスとの間にシグナリングを伝送するための伝送チャネルが存在せず、どのようにネットワークデバイスにビームアクセスの情報を知らせることは解決しようとする課題である。例えば、ビームの数について、端末デバイスがネットワークに初期アクセスする過程において、ネットワークデバイスに複数のビームのアクセス信号を送信し、ネットワークデバイスが複数のビームのアクセス信号に基づいて複数のビームを測定するが、ネットワークデバイスが端末デバイスのビームのアクセス情報を知らせず、測定することができないため、端末デバイスがビームを選択してアップリンクデータの伝送を行うことができない。
【発明の概要】
【０００３】
本発明の実施例は、ネットワークデバイスが端末デバイスのビーム数を把握してビームを測定し、端末デバイスが適切なビームを選択してアップリンクデータの伝送を行うことができる信号伝送方法及び装置を提供する。
【０００４】
第１形態は、信号伝送方法を提供し、当該方法は、第１端末デバイスがネットワークデバイスに少なくとも１つの第１シーケンスを送信することを含み、前記少なくとも１つの第１シーケンスは、前記第１端末デバイスのサポートするビームの数との第１対応関係を有する。
【０００５】
具体的に、第１端末デバイスが少なくとも１つの第１シーケンスをネットワークデバイスに送信し、ネットワークデバイスが第１対応関係に基づいて当該第１端末デバイスのビーム数を確定して、第１端末デバイスのビームの数を把握する。このように、ネットワークデバイスは、端末デバイスのビーム数を把握し、以降のネットワークデバイスのビーム測定のために基礎を構築し、ビームを正確に測定することができ、また、端末デバイスは、適切なビームを選択してアップリンクデータの伝送を行うことができる。
【０００６】
第１形態の第１実現可能な形態において、前記第１対応関係は、前記少なくとも１つの第１シーケンスの各第１シーケンスが前記第１端末デバイスのサポートする１つのビームに対応するように示すために用いられ、前記少なくとも１つの第１シーケンスの第１シーケンスの数が前記第１端末デバイスのサポートするビームの数と同じである。
【０００７】
選択的に、第１対応関係は、第１シーケンスの数が第１端末デバイスのサポートするビームの数と同じ且つ各第１シーケンスが１つのビームに対応し、又は、１つの特定の第１シーケンスが１つの特定のビームに対応するように示し、勿論、第１対応関係は、第１シーケンスの数が第１端末デバイスのサポートするビーム数と異なるように示してもよく、例えば、１つのビームが２つのシーケンスに対応するように示し、この場合、第１シーケンスの数が端末デバイスサポートするビームの数の２倍であり、１つのビームに対応する１番目の第１シーケンスがネットワークデバイスに正確に伝送されない場合、端末デバイスがネットワークデバイスに２番目の第１シーケンスを送信して、当該ビームの情報がネットワークデバイスに正確に伝送されるように確保し、アクセスの信頼性を向上させる。さらに、当端末デバイスが特定の時間帯にネットワークの１番目のシーケンスのビーム情報を受信しなかった場合、ネットワークが１番目の第１シーケンスを受信しないと認め、２番目の第１シーケンスを継続して送信して、ネットワークデバイスが第１シーケンスを受信するように確保し、ビームアクセスの信頼性を向上させる。
【０００８】
第１形態の上記の実現可能な形態を結合し、第１形態の第２実現可能な形態において、前記第１端末デバイスがネットワークデバイスに少なくとも１つの第１シーケンスを送信することは、
前記第１端末デバイスが同時刻、異なる周波数で前記ネットワークデバイスに前記少なくとも１つの第１シーケンスの各第１シーケンスをそれぞれ送信すること、又は、
前記第１端末デバイスが、異なる時刻、同じ周波数で前記ネットワークデバイスに前記少なくとも１つの第１シーケンスの各第１シーケンスをそれぞれ送信することを含む。
【０００９】
第１形態の上記の実現可能な形態を結合し、第１形態の第３実現可能な形態において、前記第１端末デバイスがネットワークデバイスに少なくとも１つの第１シーケンスを送信する前に、前記方法は、さらに、前記第１端末デバイスが、第２シーケンスを符号分割多重化の方式で拡張して、前記少なくとも１つの第１シーケンスを取得することを含む。
【００１０】
第１形態の上記の実現可能な形態を結合し、第１形態の第４実現可能な形態において、前記少なくとも１つの第１シーケンスが、第３シーケンス及び第４シーケンスを含み、前記第３シーケンスと前記第４シーケンスとが、前記第１端末デバイスの１つのビームに対応し、前記第１端末デバイスがネットワークデバイスに第１シーケンスを送信することは、前記第１端末デバイスが第１時刻に前記ネットワークデバイスに前記第３シーケンスを送信し、前記第１端末デバイスが第２時刻に前記ネットワークデバイスに前記第４シーケンスを送信することを含み、前記第１時刻と前記第２時刻とが異なる時刻である。
【００１１】
第１形態の上記の実現可能な形態を結合し、第１形態の第５実現可能な形態において、前記第１端末デバイスが前記ネットワークデバイスに少なくとも１つの第１シーケンスを送信することは、前記第１端末デバイスが、第１物理リソースにおいて前記ネットワークデバイスに前記少なくとも１つの第１シーケンスを送信することを含み、前記第１物理リソースが前記第１端末デバイスのサポートするビームの数に対応する。
【００１２】
第１形態の上記の実現可能な形態を結合し、第１形態の第６実現可能な形態において、前記方法は、さらに、前記第１端末デバイスが前記ネットワークデバイスに第５シーケンスを送信することを含み、前記第５シーケンスは、前記第１端末デバイスの再送データの再送回数との第２対応関係を有する。
【００１３】
第２形態は、信号伝送方法を提供し、当該方法は、ネットワークデバイスが第１端末デバイスにより送信された少なくとも１つの第１シーケンスを受信することと、前記ネットワークデバイスが前記少なくとも１つの第１シーケンスに基づいて前記第１端末デバイスのサポートするビームの数を確定することとを含み、前記少なくとも１つの第１シーケンスは、前記第１端末デバイスのサポートするビームの数との第１対応関係を有する。
【００１４】
第２形態の第１実現可能な形態において、前記第１対応関係は、前記少なくとも１つの第１シーケンスの各第１シーケンスが前記第１端末デバイスのサポートする１つのビームに対応するように示すために用いられ、前記少なくとも１つの第１シーケンスの第１シーケンスの数が前記第１端末デバイスのサポートするビームの数と同じである。
【００１５】
第２形態の上記の実現可能な形態を結合し、第２形態の第２実現可能な形態において、前記ネットワークデバイスが第１端末デバイスにより送信された少なくとも１つの第１シーケンスを受信することは、前記ネットワークデバイスが、前記第１端末デバイスの同時刻、異なる周波数で送信された前記少なくとも１つの第１シーケンスの各第１シーケンスをそれぞれ受信すること、又は、前記ネットワークデバイスが、前記第１端末デバイスの異なる時刻、同じ周波数で送信された前記少なくとも１つの第１シーケンスの各第１シーケンスをそれぞれ受信することを含む。
【００１６】
第２形態の上記の実現可能な形態を結合し、第２形態の第３実現可能な形態において、前記少なくとも１つの第１シーケンスが、第３シーケンス及び第４シーケンスを含み、前記第３シーケンスと前記第４シーケンスとが、前記第１端末デバイスの１つのビームに対応し、前記ネットワークデバイスが第１端末デバイスにより送信された少なくとも１つの第１シーケンスを受信することは、前記ネットワークデバイスが、前記第１端末デバイスの第１時刻に送信された前記第３シーケンスを受信し、前記第１端末デバイスが前記第１端末デバイスの第２時刻に送信された前記第４シーケンスを受信することを含み、前記第１時刻と前記第２時刻とが異なる時刻である。
【００１７】
第２形態の上記の実現可能な形態を結合し、第２形態の第４実現可能な形態において、前記ネットワークデバイスが第１端末デバイスにより送信された少なくとも１つの第１シーケンスを受信することは、前記ネットワークデバイスが、前記第１端末デバイスの第１物理リソースにより送信された前記少なくとも１つの第１シーケンスを受信することを含み、前記第１物理リソースが前記第１数のビームに対応し、前記方法は、さらに、前記ネットワークデバイスが、前記第２端末デバイスの第２物理リソースにより送信された少なくとも１つの第６シーケンスを受信することを含み、前記第２物理リソースが前記第２数のビームに対応し、前記第１数が前記第２数より大きく、前記第１物理リソースの時間領域リソースが前記第２物理リソースの時間領域リソースより大きく、及び／又は、前記第１物理リソースの周波数領域リソースが前記第２物理リソースの周波数領域リソースより大きい。
【００１８】
そして、伝送するシーケンスが多いほど、占用する物理リソースが多くなり、全ての端末デバイスに同じ量の物理リソースに割り当てなく、サポートするビーム数によって端末デバイスに異なる物理リソースを割り当て、リリースの利用率を向上させることができる。
【００１９】
第２形態の上記の実現可能な形態を結合し、第２形態の第５実現可能な形態において、前記方法は、さらに、前記ネットワークデバイスが、前記第１端末デバイスにより送信された第５シーケンスを受信することを含み、前記第５シーケンスは、前記第１端末デバイスの再送データの再送回数との第２対応関係を有する。
【００２０】
第３形態は、信号伝送方法を提供し、第１端末デバイスが前記ネットワークデバイスに第５シーケンスを送信することを含み、前記第５シーケンスは、前記第１端末デバイスの再送データの再送回数との第２対応関係を有する。
【００２１】
第４形態は、信号伝送方法を提供し、ネットワークデバイスが、前記第１端末デバイスにより送信された第５シーケンスを受信することを含み、前記第５シーケンスは、前記第１端末デバイスの再送データの再送回数との第２対応関係を有する。
【００２２】
第５形態は、信号伝送装置を提供し、前記装置が第１形態又は第１形態のいかなる実現可能な方法を実行するように構成される。具体的に、当該装置が、上記の第１形態又は第１形態のいかなる実現可能な方法を実行するためのユニットを含む。
【００２３】
第６形態は、信号伝送装置を提供し、前記装置が第２形態又は第２形態のいかなる実現可能な方法を実行するように構成される。具体的に、当該装置が、上記の第２形態又は第２形態のいかなる実現可能な方法を実行するためのユニットを含む。
【００２４】
第７形態は、信号伝送装置を提供し、前記装置が第１形態又は第１形態のいかなる実現可能な方法を実行するように構成される。具体的に、当該装置が、上記の第３形態又は第３形態のいかなる実現可能な方法を実行するためのユニットを含む。
【００２５】
第８形態は、信号伝送装置を提供し、前記装置が第２形態又は第２形態のいかなる実現可能な方法を実行するように構成される。具体的に、当該装置が、上記の第４形態又は第４形態のいかなる実現可能な方法を実行するためのユニットを含む。
【００２６】
第９形態は、信号伝送システムを提供し、第５形態又は第５形態のいかなる実現可能な形態の装置、及び第６形態又は第６形態のいかなる実現可能な形態の方法を含む。
【００２７】
第１０形態は、信号伝送システムを提供し、第７形態又は第７形態のいかなる実現可能な形態の装置、及び第８形態又は第８形態のいかなる実現可能な形態の方法を含む。
【００２８】
第１１形態は、信号伝送装置を提供し、当該信号伝送装置は、受信機、送信機、メモリ、プロセッサ、及びバスシステムを含む。ここで、受信機、送信機、メモリ、及びプロセッサがバスシステムにより接続され、当該メモリが命令を記憶し、当該プロセッサが当該メモリに記憶された命令を実行して、送信機が信号を受信し、送信機が信号を送信するように制御し、当該命令が実行される場合、当該プロセッサは、第１形態又は第１形態のいかなる実現可能な形態の方法を実行する。
【００２９】
第１２形態は、信号伝送装置を提供し、当該信号伝送装置は、受信機、送信機、メモリ、プロセッサ、及びバスシステムを含む。ここで、受信機、送信機、メモリ、及びプロセッサがバスシステムにより接続され、当該メモリが命令を記憶し、当該プロセッサが当該メモリに記憶された命令を実行して、送信機が信号を受信し、送信機が信号を送信するように制御し、当該命令が実行される場合、当該プロセッサは、第２形態又は第２形態のいかなる実現可能な形態の方法を実行する。
【００３０】
第１３形態は、信号伝送装置を提供し、当該信号伝送装置は、受信機、送信機、メモリ、プロセッサ、及びバスシステムを含む。ここで、受信機、送信機、メモリ、及びプロセッサがバスシステムにより接続され、当該メモリが命令を記憶し、当該プロセッサが当該メモリに記憶された命令を実行して、送信機が信号を受信し、送信機が信号を送信するように制御し、当該命令が実行される場合、当該プロセッサは、第３形態又は第３形態のいかなる実現可能な形態の方法を実行する。
【００３１】
第１４形態は、信号伝送装置を提供し、当該信号伝送装置は、受信機、送信機、メモリ、プロセッサ、及びバスシステムを含む。ここで、受信機、送信機、メモリ、及びプロセッサがバスシステムにより接続され、当該メモリが命令を記憶し、当該プロセッサが当該メモリに記憶された命令を実行して、送信機が信号を受信し、送信機が信号を送信するように制御し、当該命令が実行される場合、当該プロセッサは、第４形態又は第４形態のいかなる実現可能な形態の方法を実行する。
【００３２】
第１５形態は、コンピュータ可読記憶媒体を提供し、前記コンピュータ可読記憶媒体にはプログラムが記憶され、前記プログラムには第１形態又は第１形態のいかなる実現可能な方法を実現するための命令が含まれる。
【００３３】
第１６形態は、コンピュータ可読記憶媒体を提供し、前記コンピュータ可読記憶媒体にはプログラムが記憶され、前記プログラムには第２形態又は第２形態のいかなる実現可能な方法を実現するための命令が含まれる。
【００３４】
第１７形態は、コンピュータ可読記憶媒体を提供し、前記コンピュータ可読記憶媒体にはプログラムが記憶され、前記プログラムには第３形態又は第３形態のいかなる実現可能な方法を実現するための命令が含まれる。
【００３５】
第１８形態は、コンピュータ可読記憶媒体を提供し、前記コンピュータ可読記憶媒体にはプログラムが記憶され、前記プログラムには第４形態又は第４形態のいかなる実現可能な方法を実現するための命令が含まれる。
【図面の簡単な説明】
【００３６】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本発明の実施例における信号伝送方法の模式図である。
【図２】本発明の実施例における他の信号伝送方法の模式図である。
【図３】本発明の実施例における信号伝送装置のブロック図である。
【図４】本発明の実施例における他の信号伝送装置のブロック図である。
【図５】本発明の実施例における他の信号伝送装置のブロック図である。
【図６】本発明の実施例における他の信号伝送装置のブロック図である。
【図７】本発明の実施例における他の信号伝送装置のブロック図である。
【図８】本発明の実施例における他の信号伝送装置のブロック図である。
【図９】本発明の実施例における他の信号伝送装置のブロック図である。
【図１０】本発明の実施例における他の信号伝送装置のブロック図である。
【発明を実施するための形態】
【００３７】
本発明の目的、技術案及び利点をより良く理解させるために、以下、本発明の実施例の図面を参考しながら、本発明の実施例の技術案をより明確且つ完全に説明し、説明される実施例は、単に本発明の一部の実施例に過ぎず、すべての実施例ではない。本発明の実施例に基づいて、当業者が創造的な労働を付与しない前提で得られた他の実施例の全ては、本発明の保護範囲に属する。
【００３８】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来のシステムなどに応用されることができる。
【００３９】
なお、本発明の実施例において、端末デバイスがユーザー装置（ＵＥ：Ｕｓｅｒ  Ｅｑｕｉｐｍｅｎｔ）、端末デバイス、移動台（ＭＳ：Ｍｏｂｉｌｅ  Ｓｔａｔｉｏｎ）、移動端末（Ｍｏｂｉｌｅ  Ｔｅｒｍｉｎａｌ）又は未来の５Ｇネットワークにおける端末デバイス等であってもよく、当該端末デバイスは、無線アクセスネットワーク（ＲＡＮ：Ｒａｄｉｏ  Ａｃｃｅｓｓ  Ｎｅｔｗｏｒｋ）を介して１つ以上のコアネットワークと通信することができ、例えば、端末は移動電話（「セルラ」電話とも言われる）、移動端末を備えるコンピュータであっても良いし、携帯型、ポケット型、ハンドヘルド型、コンピュータ内蔵又は車載の移動装置であってもよく、これらは無線アクセスネットワークと音声及び／又はデータを交換する。
【００４０】
ネットワークデバイスは端末デバイスと通信するためのデバイスであっても良く、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は該基地局は中継局、アクセスポイント、車載デバイス、ウェアラブルデバイス及び将来の５Ｇネットワークにおけるネットワーク側デバイスなどであっても良い。
【００４１】
なお、本発明の実施例に記載されるシーケンス、第１シーケンス、第２シーケンス、第３シーケンス、第４シーケンス、第５シーケンス、第６シーケンスは、アップリンク同期のためのリードシーケンス（ｐｒｅａｍｂｌｅ）又は端末デバイスのデータを復調するためのアップリンク復調基準信号（ＵＬ  ＤＭＲＳ：Ｕｐｌｉｎｋ  Ｄｅｍｏｄｕｌａｔｉｏｎ  Ｒｅｆｅｒｅｎｃｅ  Ｓｉｇｎａｌ）のシーケンスであってもよく、シーケンスセットがｐｒｅａｍｂｌｅ又はＵＬ  ＤＭＲＳの復調ためのシーケンスであってもよい。
【００４２】
図１は本発明の実施例における信号伝送方法１００のフローチャートを示す。図１が信号伝送方法のステップ又は操作を示しているが、これらのステップ又は操作が例示的なものであり、本発明の実施例が他の操作又は図１の各操作の変形を実行してもよく、当該方法１００がＳ１１０を含み、
Ｓ１１０において、第１端末デバイスがネットワークデバイスに少なくとも１つの第１シーケンスを送信し、前記少なくとも１つの第１シーケンスは、前記第１端末デバイスのサポートするビームの数との第１対応関係を有する。
【００４３】
具体的に、第１端末デバイスが少なくとも１つの第１シーケンスをネットワークデバイスに送信し、ネットワークデバイスが少なくとも１つの第１シーケンス及び第１対応関係に基づいて、当該第１端末デバイスのビーム数を確定し、第１端末デバイスのビーム数を把握する。そして、ネットワークデバイスが端末デバイスのビーム数を把握し、以降のネットワークデバイスのビーム測定のために基礎を構築し、ビームを正確に測定することができ、また、端末デバイスが適切なビームを選択してアップリンクデータの伝送を行うことができる。
【００４４】
なお、第１対応関係は、第１シーケンスの数が第１端末デバイスのサポートするビームの数と同じ且つ各第１シーケンスが１つのビームに対応し、又は、１つの特定の第１シーケンスが１つの特定のビームに対応するように示し、勿論、第１対応関係は、第１シーケンスの数が第１端末デバイスのサポートするビーム数と異なるように示してもよく、例えば、１つのビームが２つのシーケンスに対応するように示し、この場合、第１シーケンスの数が端末デバイスサポートするビームの数の２倍であり、１つのビームに対応する１番目の第１シーケンスがネットワークデバイスに正確に伝送されない場合、端末デバイスがネットワークデバイスに２番目の第１シーケンスを送信し、当該ビームの情報がネットワークデバイスに正確に伝送されるように確保し、アクセスの信頼性を向上させる。さらに、当端末デバイスが特定の時間帯にネットワークからの１番目のシーケンスのビーム情報を受信しなかった場合、ネットワークが１番目の第１シーケンスを受信しないと認め、２番目の第１シーケンスを継続して送信し、ネットワークデバイスが第１シーケンスを受信するように確保し、ビームアクセスの信頼性を向上させる。
【００４５】
１つの例として、第１端末デバイスが２つのビームをサポートしており、１つのシーケンスセットが存在し、当該シーケンスセットが２つのビームを含み、ビーム１及びビーム２であり、ネットワークデバイスに２つのビームのアップリンクアクセスシーケンス１及びアップリンクアクセスシーケンス２を送信し、ビーム１がアップリンクアクセスシーケンス１に対応し、ビーム２がアップリンクアクセスシーケンス２に対応し、ネットワークデバイスがアップリンクアクセスシーケンス１を受信した場合、ビーム１で送信したアクセス信号であると認め、ネットワークデバイスがアップリンクアクセスシーケンス２を受信した場合、ビーム２で送信したアクセス信号であると認め、ネットワークデバイスが２つのシーケンスを測定し、検定された信号強度の高いアップリンクアクセスシーケンスに対応するビームをアップリンクデータを伝送するためのビームとして端末デバイスに通知し、端末デバイスが当該信号の強いビームを使用してデータを伝送する。
【００４６】
なお、少なくとも１つの第１シーケンスと前記第１端末デバイスのサポートするビームの数との第１対応関係は、ネットワークにより構成されてもよく、プロトコルにより規定されてもよく、本発明の実施例がこれに限定されない。
【００４７】
１つの選択可能な実施例として、Ｓ１１０の前に、前記方法１００は、さらに、前記第１端末デバイスが前記第１端末デバイスのサポートするビームの数に基づいてシーケンスセットを選択することを含み、前記シーケンスセットが前記第１端末デバイスのサポートするビーム数に対応し、ここで、Ｓ１１０は、前記第１端末デバイスが前記ネットワークデバイスに前記シーケンスセットから選択した前記少なくとも１つの第１シーケンスを送信し、前記ネットワークデバイスが前記第１端末デバイスにより送信されたシーケンスセットから選択した前記少なくとも１つの第１シーケンスを受信することを含む。
【００４８】
１つの選択可能な実施例として、シーケンスセットが前記少なくとも１つの第１シーケンスを含み、シーケンスセットに含まれる第１シーケンスの数が第１端末デバイスのサポートするビーム数との対応関係を有し、例えば、シーケンスセット内の第１シーケンスの数が第１端末デバイスのサポートするビーム数に等しく、また、例えば、第１端末デバイスがシーケンスセット内の１つの第１シーケンスをネットワークデバイスに送信する場合、ネットワークデバイスに当該第１端末デバイスのサポートするビームの数を知らせ、また、例えば、第１端末デバイスがシーケンスセット内のＮ個のシーケンスをネットワークデバイスに送信する場合、ネットワークデバイスに当該第１端末デバイスがＮ個のビームをサポートすることを知らせ、即ち、第１端末デバイスから送信したシーケンスがシーケンスセット内の第１シーケンスである場合、ネットワークデバイスに第１端末デバイスのサポートするビームの数を知らせる。シーケンスセットと第１端末デバイスのサポートするビームの数との対応関係は、ネットワークデバイスにより端末デバイスのために構成されたものであってもよく、プロトコルにより規定されたものであってもよく、本発明の実施例がこれに限定されない。
【００４９】
Ｓ１１０の前に、端末デバイスが以下の３つ方式で前記少なくとも１つの第１シーケンスを確定する。
【００５０】
第１方式として、端末デバイスは、端末デバイスのサポートするビームの数に対応するシーケンスセットからシーケンスを選択し、前記少なくとも１つの第１シーケンスを取得する。例えば、第１端末デバイスと第２端末デバイスが共に同じ数のビームをサポートしており、これらのビームが１つのシーケンスセットに属し、当該シーケンスセットには複数のサブセットシーケンスが含まれ、各サブセットシーケンスが端末デバイスのビーム数と同じ数のサブシーケンスを有し、第１端末デバイスと第２端末デバイスとが、ネットワークデバイスにサブセットシーケンス内のサブシーケンスを送信して、同じ数のビームをサポートする端末デバイスが自分のサポートするビーム数をネットワークデバイスに通知することができる。例えば、第１シーケンスセットが３つのサブセットシーケンスを含み、各サブセットシーケンスが２つのサブシーケンスを含み、即ち、第１シーケンスセット内の１つのサブセットシーケンスが、２つのビームをサポートする１つの端末デバイスに対応し、現在の第１端末デバイスと第２端末デバイスが共に２つのビームをサポートする場合、当該第１端末デバイスが３つのサブシーケンスセットから１つのサブシーケンスセットを任意に選択し自分のサブシーケンスセットとし、そして、サブセットシーケンス内の２つのサブシーケンスが第１端末デバイスの２つのビームにそれぞれ対応し、この２つのサブシーケンスをネットワークデバイスを送信し、ネットワークデバイスに第１端末デバイスのサポートする２つのビームを知らせ、ネットワークデバイスが２つのシーケンスを送信するビームを測定し、信号強度の良いビームを選択して第１端末デバイスがアップリンクデータを伝送するためのビームとする。第２端末デバイスが３つのサブシーケンスセットから１つのサブシーケンスセットを選択して自分のサブシーケンスセットをとし、第２端末デバイスが選択したサブシーケンスセット内の２つのサブシーケンスが第２端末デバイスの２つのビームにそれぞれ対応し、第２端末デバイスがこの２つのサブシーケンスをネットワークデバイスに送信し、ネットワークデバイスに第２端末デバイスのサポートする２つのビームを知らせ、ネットワークデバイスがこの２つのシーケンスを送信するビームを測定し、信号強度の良いビームを選択して第２端末デバイスがアップリンクデータを伝送するためのビームとする。
【００５１】
第２方式として、前記第１端末デバイスが、第２シーケンスを符号分割多重化の方式で拡張して前記少なくとも１つの第１シーケンスを取得する。端末デバイスは、対応するシーケンスセットから１つのシーケンスをランダムに選択し、選択したシーケンスを第１拡張方式で拡張して少なくとも１つの第１シーケンスを取得し、例えば、当該第１拡張方式が符号分割多重化(ＣＤＭ：Ｃｏｄｅ  Ｄｉｖｉｓｉｏｎ  Ｍｕｌｔｉｐｌｅｘｉｎｇ)方式であってもよい。例えば、２つのビームをサポートする端末デバイスは、１つのシーケンスをランダムに選択してから、選択したシーケンスをＷａｌｓｈコードで時間領域拡張を行う。例えば、[１，１]に対応するビーム方向が１であり、[１，‐１]に対応するビーム方向が２であり、拡張した前記少なくとも１つの第１シーケンスをネットワークデバイスに送信する。具体的に、第１端末デバイスの拡張方式、拡張に使用する基本コードが、プロトコルにより規定されてもよく、ネットワークにより構成されてもよく、本発明の実施例がこれに限定されない。 
第３方式として、第１端末デバイスは特定の物理リソースを選択して少なくとも１つの第１シーケンスを送信する。例えば、端末デバイスは、シーケンスセットから自分のサポートするビームの数と一致するシーケンスを選択し、特定の物理リソースにおいて送信し、当該特定の物理リソースが第１端末デバイスのサポートするビームの数に対応し、例えば、前記第１端末デバイスが、第１物理リソースにおいて前記ネットワークデバイスに前記少なくとも１つの第１シーケンスを送信し、前記第１物理リソースが前記第１端末デバイスのサポートするビームの数に対応する。具体的に、前記ネットワークデバイスが、前記第１端末デバイスの第１物理リソースにより送信された前記少なくとも１つの第１シーケンスを受信し、前記第１物理リソースが前記第１数のビームに対応し、前記方法１００は、さらに、前記ネットワークデバイスが、前記第２端末デバイスの第２物理リソースにより送信された少なくとも１つの第６シーケンスを受信することを含み、前記第２物理リソースが前記第２数のビームに対応し、前記第１数が前記第２数より大きく、ここで、前記第１物理リソースの時間領域リソースが前記第２物理リソースの時間領域リソースより大きく、及び／又は、前記第１物理リソースの周波数領域リソースが前記第２物理リソースの周波数領域リソースより大きい。即ち、伝送するシーケンスが多いほど、占用する物理リソースが多くなり、全ての端末デバイスに同じ量の物理リソースに割り当てなく、サポートするビーム数によって端末デバイスに異なる物理リソースを割り当て、リリースの利用率を向上させることができる。ある特定の時間周波数リソースを設定して特定のビーム数をサポートする端末デバイスのみに割り当て、具体的に、リソースは、端末デバイスのサポートするビームの数との対応関係を有し、ネットワークにより構成されてもよく、プロトコルにより規定されてもよい。
【００５２】
なお、前記少なくとも１つの第１シーケンスが、上記の３つの方式で確定されてもよく、例えば、第１方式と第２方式とを組み合わせ、シーケンスセットを異なるサブシーケンスセットに分け、これらのサブシーケンスセットを異なる物理リソースに割り当て、例えば、第１サブシーケンスセットが第１物理リソースに対応し、第１物理リソースが第１数の端末デバイスに対応してサポートし、第１サブシーケンスセットが前記少なくとも１つの第１シーケンスを含み、第２サブシーケンスセットが第２物理リソースに対応し、第２物理リソースが第２数の端末デバイスに対応してサポートする。第２方式と第３方式とを組み合わせ、例えば、ＣＤＭ方式で拡張された少なくとも１つの第１シーケンスを異なる時間周波数リソースに割り当て、即ち、第１端末デバイスのサポートするビーム数に対応するシーケンスが異なる時間周波数リソースに割り当てもよい。
【００５３】
１つの選択可能な実施例として、前記第１対応関係は、前記少なくとも１つの第１シーケンスの各第１シーケンスが前記第１端末デバイスのサポートする１つのビームに対応するように示すために用いられ、前記少なくとも１つの第１シーケンスの第１シーケンスの数が前記第１端末デバイスのサポートするビームの数と同じである。
【００５４】
１つの選択可能な実施例として、Ｓ１１０は、前記第１端末デバイスが同時刻、異なる周波数で前記ネットワークデバイスに前記少なくとも１つの第１シーケンスの各第１シーケンスをそれぞれ送信すること、又は、前記第１端末デバイスが、異なる時刻、同じ周波数で前記ネットワークデバイスに前記少なくとも１つの第１シーケンスの各第１シーケンスをそれぞれ送信することを含む。ネットワークデバイスが第１端末デバイスにより送信された少なくとも１つの第１シーケンスを受信することは、前記ネットワークデバイスが、前記第１端末デバイスの同時刻、異なる周波数で送信された前記少なくとも１つの第１シーケンスの各第１シーケンスをそれぞれ受信すること、又は、前記ネットワークデバイスが、前記第１端末デバイスの異なる時刻、同じ周波数で送信された前記少なくとも１つの第１シーケンスの各第１シーケンスをそれぞれ受信することを含む。
【００５５】
具体的に、例えば、当該第１端末デバイスがＮ個のビームをサポートし、第１シーケンスの数がＮ個であり、異なる時刻、同じ周波数でネットワークデバイスにＮ個の第１シーケンスをそれぞれ送信し、又は、同時刻、異なる周波数でネットワークデバイスにそれぞれ送信してもよく、送信方式がネットワークにより構成されてもよく、プロトコルにより規定されてもよく、本発明の実施例がこれに限定されない。
【００５６】
１つの選択可能な実施例として、前記少なくとも１つの第１シーケンスが、第３シーケンス及び第４シーケンスを含み、前記第３シーケンスと前記第４シーケンスとが、前記第１端末デバイスの１つのビームに対応し、ここで、Ｓ１１０は、前記第１端末デバイスが第１時刻に前記ネットワークデバイスに前記第３シーケンスを送信し、前記第１端末デバイスが第２時刻に前記ネットワークデバイスに前記第４シーケンスを送信することを含み、前記第１時刻と前記第２時刻とが異なる時刻である。即ち、２つのシーケンスが１つのビームに対応し、異なる時刻にこの２つのシーケンスをネットワークデバイスにそれぞれ送信する。具体的に、第１時刻と第２時刻とのピッチタイムは、ネットワークデバイスにより構成されてもよく、プロトコルにより規定されてもよく、本発明の実施例がこれに限定されない。勿論、複数のシーケンスが１つのビームに対応してもよく、この場合、複数のシーケンスで１つのビームの情報を伝送して、ビームアクセスの信頼性をさらに確保する。
【００５７】
Ｓ１２０において、ネットワークデバイスが第１端末デバイスにより送信された少なくとも１つの第１シーケンスを受信し、前記ネットワークデバイスが前記少なくとも１つの第１シーケンスに基づいて前記第１端末デバイスのサポートするビームの数を確定する。
【００５８】
１つの選択可能な実施例として、前記方法１００は、さらに、前記第１端末デバイスが前記ネットワークデバイスに少なくとも１つの第５シーケンスを送信し、前記少なくとも１つの第５シーケンスは、前記第１端末デバイスの再送データの再送回数との第２対応関係を有する。さらに、前記第２対応関係は、前記少なくとも１つの第５シーケンスの第５シーケンスの数が前記第１端末デバイスの再送データの再送回数と等しいことを示すために用いられる。即ち、第１端末デバイスが少なくとも１つの第１シーケンスを送信し、少なくとも１つの第１シーケンスが第１端末デバイスのサポートするビーム数との第１対応関係を有し、又は、第１端末デバイスが少なくとも１つの第５シーケンスを送信し、少なくとも１つの第５シーケンスが第１端末デバイスの再送データとの第２対応関係を有する。
【００５９】
図２は本発明の実施例における信号伝送方法２００のフローチャートを示す。図２が信号伝送方法のステップ又は操作を示しているが、これらのステップ又は操作が例示的なものであり、本発明の実施例が他の操作又は図２の各操作の変形を実行してもよく、当該方法２００がＳ２１０〜Ｓ２２０を含み、
Ｓ２１０において、第１端末デバイスが前記ネットワークデバイスに少なくとも１つの第５シーケンスを送信し、前記少なくとも１つの第５シーケンスは、前記第１端末デバイスの再送データの再送回数との第２対応関係を有する。当該第２対応関係は、ネットワークデバイスが端末デバイスのために構成されてもよく、プロトコルにより規定されてもよく、本発明の実施例がこれに限定されない。例えば、第１端末デバイスがデータを１回再送した場合、第１端末デバイスが回数の１回であるシーケンスセットから第５シーケンスを選択し、ネットワークデバイスに送信し、ネットワークデバイスが当該第５シーケンスを検定し、当該第１端末デバイスがデータを１回再送することを知る。
【００６０】
Ｓ２２０において、ネットワークデバイスが前記第１端末デバイスにより送信された少なくとも１つの第５シーケンスを受信し、前記少なくとも１つの第５シーケンスに基づいて前記第１端末デバイスの再送データの再送回数を確定する。
【００６１】
具体的に、非スケジューリング伝送又は競合アクセスである場合、端末デバイスが複数の伝送又は複数のアクセスを行う可能性がある。第１端末デバイスが複数の再送を行ったが、ネットワークデバイスが第１端末デバイスの伝送回数を知らない。ネットワークデバイスが再送回数の多い端末デバイスを優先して選択し、アクセスを優先して行うように、ネットワークデバイスに端末デバイスからのアクセス第５シーケンスを知らせる。第１端末デバイスが競合アクセス又は非スケジューリング伝送を毎回に行う場合、シーケンス方式でアクセス情報を送信し、例えば、シーケンスを４つのセットに分け、４つのセットのシーケンスが再送回数の１、２、３、４にそれぞれ対応し、シーケンスセットと再送回数との対応関係は、ネットワークにより構成されてもよく、プロトコルにより規定されてもよく、端末デバイスは、４回の再送を行った場合、再送回数の４回であるシーケンスセットからシーケンスを選択してネットワークデバイスに送信し、ネットワークデバイスがシーケンスと再送回数との対応関係を予め取得するため、シーケンスと再送回数との対応関係に基づいて第１端末デバイスの再送回数を確定することで、再送回数の高い端末デバイスを選択し、ネットワークへのアクセス又はデータを行い、アクセスの成功率やデータ伝送の成功率を確保する。
【００６２】
以上、図１〜図２に基づいて本発明の実施例における信号伝送方法を説明し、以下、図３〜図１０を参照し本発明の実施例における信号伝送装置を説明する。
【００６３】
図３は本発明の実施例における信号伝送装置３００模式図を示し、当該装置が、例えば、方法１００の端末デバイスであってもよく、当該装置３００が送信モジュール３１０を含み、
送信モジュール３１０は、ネットワークデバイスに少なくとも１つの第１シーケンスを送信するように構成され、前記少なくとも１つの第１シーケンスは、前記装置のサポートするビームの数との第１対応関係を有する。
【００６４】
１つの選択可能な実施例として、前記第１対応関係は、前記少なくとも１つの第１シーケンスの各第１シーケンスが前記装置のサポートする１つのビームに対応するように示すために用いられ、前記少なくとも１つの第１シーケンスの第１シーケンスの数が前記装置のサポートするビームの数と同じである。
【００６５】
１つの選択可能な実施例として、前記送信モジュール３１０は、具体的に、
同時刻、異なる周波数で前記ネットワークデバイスに前記少なくとも１つの第１シーケンスの各第１シーケンスをそれぞれ送信し、又は、
異なる時刻、同じ周波数で前記ネットワークデバイスに前記少なくとも１つの第１シーケンスの各第１シーケンスをそれぞれ送信するように構成される。
【００６６】
１つの選択可能な実施例として、前記装置３００が、さらに処理モジュール３１０を含み、処理モジュール３１０が、ネットワークデバイスに少なくとも１つの第１シーケンスを送信する前に、第２シーケンスを符号分割多重化の方式で拡張して前記少なくとも１つの第１シーケンスを取得するように構成される。
【００６７】
１つの選択可能な実施例として、前記少なくとも１つの第１シーケンスが、第３シーケンス及び第４シーケンスを含み、前記第３シーケンスと前記第４シーケンスとが、前記装置３００の１つのビームに対応し、前記送信モジュール３１０は、具体的に、第１時刻に前記ネットワークデバイスに前記第３シーケンスを送信し、第２時刻に前記ネットワークデバイスに前記第４シーケンスを送信するように構成され、前記第１時刻と前記第２時刻とが異なる時刻である。
【００６８】
１つの選択可能な実施例として、前記送信モジュール３１０は、具体的に、第１物理リソースにおいて前記ネットワークデバイスに前記少なくとも１つの第１シーケンスを送信するように構成され、前記第１物理リソースが前記装置のサポートするビームの数に対応する。
【００６９】
１つの選択可能な実施例として、前記送信モジュール３１０は、さらに、前記ネットワークデバイスに第５シーケンスを送信するように構成され、前記第５シーケンスは、前記装置の再送データの再送回数との第２対応関係を有する。
【００７０】
図４は本発明の実施例における信号伝送装置４００模式図を示し、当該装置が例えば、方法１００のネットワークデバイスであってもよく、当該装置４００が受信モジュール４１０及び確定モジュール４２０を含み、
受信モジュール４１０は、第１端末デバイスにより送信された少なくとも１つの第１シーケンスを受信するように構成され、前記少なくとも１つの第１シーケンスは、前記第１端末デバイスのサポートするビームの数との第１対応関係を有し、
確定モジュール４２０は、前記少なくとも１つの第１シーケンスに基づいて前記第１端末デバイスのサポートするビームの数を確定するように構成される。
【００７１】
１つの選択可能な実施例として、前記第１対応関係は、前記少なくとも１つの第１シーケンスの各第１シーケンスが前記第１端末デバイスのサポートする１つのビームに対応するように示すために用いられ、前記少なくとも１つの第１シーケンスの第１シーケンスの数が前記第１端末デバイスのサポートするビームの数と同じである。
【００７２】
１つの選択可能な実施例として、前記受信モジュール４１０は、具体的に、前記第１端末デバイスが同じ時刻、異なる周波数で送信した前記少なくとも１つの第１シーケンスの各第１シーケンスをそれぞれ受信し、又は、前記第１端末デバイスが異なる時刻、同周波数で送信した前記少なくとも１つの第１シーケンスの各第１シーケンスをそれぞれ受信するように構成される。
【００７３】
１つの選択可能な実施例として、前記受信モジュール４１０は、具体的に、
前記第１端末デバイスが第１時刻に送信した前記第３シーケンスを受信し、
前記第１端末デバイスが第２時刻に送信した前記第４シーケンスを受信するように構成され、前記第１時刻と前記第２時刻とが異なる時刻である。
【００７４】
１つの選択可能な実施例として、前記受信モジュール４１０は、具体的に、
前記第１端末デバイスが第１物理リソースにおいて送信した前記少なくとも１つの第１シーケンスを受信し、前記第１物理リソースが前記第１数のビームに対応し、
前記第２端末デバイスが第２物理リソースにおいて送信した少なくとも１つの第６シーケンスを受信するように構成され、前記第２物理リソースが前記第２数のビームに対応し、前記第１数が前記第２数より大きく、ここで、前記第１物理リソースの時間領域リソースが前記第２物理リソースの時間領域リソースより大きく、及び／又は、前記第１物理リソースの周波数領域リソースが前記第２物理リソースの周波数領域リソースより大きい。
【００７５】
１つの選択可能な実施例として、前記受信モジュール４１０は、さらに、
前記第１端末デバイスにより送信した第５シーケンスを受信するように構成され、前記第５シーケンスは、前記第１端末デバイスの再送データの再送回数との第２対応関係を有する。
【００７６】
図５は本発明の実施例における信号伝送装置５００の模式図を示し、当該装置が例えば、方法２００のネットワークデバイスであってもよく、当該装置５００が送信モジュール５１０を含み、
送信モジュール５１０は、前記ネットワークデバイスに第５シーケンスを送信するように構成され、前記第５シーケンスは、前記装置の再送データの再送回数との第２対応関係を有する。
【００７７】
図６は本発明の実施例における信号伝送装置６００の模式図を示し、当該装置が例えば、方法６００のネットワークデバイスであってもよく、当該装置６００が受信モジュール６１０及び確定モジュール６２０を含み、
受信モジュール６１０は、前記第１端末デバイスにより送信した第５シーケンスを受信するように構成され、前記第５シーケンスは、前記第１端末デバイスの再送データの再送回数との第２対応関係を有し、
確定モジュール６２０は、前記少なくとも１つの第５シーケンスに基づいて前記第１端末デバイスの再送データの再送回数を確定するように構成される。
【００７８】
図７は本開示の実施例における信号伝送装置７００を示し、例えば、当該装置７００が方法１００内の端末デバイスであり、当該装置７００は、受信機７１０、プロセッサ７２０、送信機７３０、メモリ７４０及びバスシステム７５０を含む。ここで、受信機７１０、プロセッサ７２０、送信機７３０及びメモリ７４０は、バスシステム７５０により接続され、当該メモリ７４０は命令を記憶し、当該プロセッサ７２０は、当該メモリ７４０に記憶した命令を実行して、当該受信機７１０が信号を受信し当該送信機７３０が命令を送信するように制御する。
【００７９】
ここで、送信機７３０がネットワークデバイスに少なくとも１つの第１シーケンスを送信するように構成され、前記少なくとも１つの第１シーケンスは、前記装置のサポートするビームの数との第１対応関係を有する。
【００８０】
なお、装置７００が上記の実施例における方法１００の端末デバイスであってもよく、上記の端末デバイスに対応する各ステップ及び／又はプロセスを実行することができる。選択可能で、当該メモリ７４０が読み取り専用メモリ及びランダムアクセスメモリを含み、プロセッサに命令及びデータを提供する。メモリが不揮発性ランダムアクセスメモリを含む。例えば、メモリは、デイバスタイプの情報を記憶する。当該プロセッサ７２０がメモリに記憶した命令を実行し、当該プロセッサが当該命令を実行する場合、当該プロセッサが上記の方法１００の実施例における端末デバイスに対応する各ステップを実行する。
【００８１】
図８は本開示の実施例における信号伝送装置８００を示し、例えば、当該装置８００が方法１００のネットワークデバイスであり、当該装置８００は、受信機８１０、プロセッサ８２０、送信機８３０、メモリ８４０及びバスシステム８５０を含む。ここで、受信機８１０、プロセッサ８２０、送信機８３０及びメモリ８４０は、バスシステム８５０により接続され、当該メモリ８４０は命令を記憶し、当該プロセッサ８２０は、当該メモリ８４０に記憶した命令を実行して、当該受信機８１０が信号を受信し当該送信機８３０が命令を送信するように制御する。
【００８２】
ここで、受信機８１０が第１端末デバイスにより送信された少なくとも１つの第１シーケンスを受信するように構成され、前記少なくとも１つの第１シーケンスは、前記第１端末デバイスのサポートするビームの数との第１対応関係を有し、プロセッサ８２０が前記少なくとも１つの第１シーケンスに基づいて前記第１端末デバイスのサポートするビームの数を確定するように構成される。
【００８３】
なお、装置８００が上記の実施例における方法１００のネットワークデバイスであってもよく、上記の方法の実施例においてネットワークデバイスに対応する各ステップ及び／又はプロセスを実行することができる。選択可能で、当該メモリ８４０が読み取り専用メモリ及びランダムアクセスメモリを含み、プロセッサに命令及びデータを提供する。メモリが不揮発性ランダムアクセスメモリを含む。例えば、メモリは、デイバスタイプの情報を記憶する。当該プロセッサ８２０がメモリに記憶した命令を実行し、当該プロセッサが当該命令を実行する場合、当該プロセッサが上記の方法１００の実施例におけるネットワークデバイスに対応する各ステップを実行する。
【００８４】
図９は本開示の実施例における信号伝送装置９００を示し、例えば、当該装置９００が方法２００の端末デバイスであり、当該装置９００は、受信機９１０、プロセッサ９２０、送信機９３０、メモリ９４０及びバスシステム９５０を含む。ここで、受信機９１０、プロセッサ９２０、送信機９３０及びメモリ９４０は、バスシステム９５０により接続され、当該メモリ９４０は命令を記憶し、当該プロセッサ９２０は、当該メモリ９４０に記憶した命令を実行して、当該受信機９１０が信号を受信し当該送信機９３０が命令を送信するように制御する。
【００８５】
ここで、送信機９３０が前記ネットワークデバイスに第５シーケンスを送信するように構成され、前記第５シーケンスは、前記装置の再送データの再送回数との第２対応関係を有する。
【００８６】
なお、装置９００が上記の実施例における方法２００の端末デバイスであってもよく、上記の方法の実施例において端末デバイスに対応する各ステップ及び／又はプロセスを実行することができる。選択可能で、当該メモリ９４０が読み取り専用メモリ及びランダムアクセスメモリを含み、プロセッサに命令及びデータを提供する。メモリが不揮発性ランダムアクセスメモリを含む。例えば、メモリは、デイバスタイプの情報を記憶する。当該プロセッサ９２０がメモリに記憶した命令を実行し、当該プロセッサが当該命令を実行する場合、当該プロセッサが上記の方法２００の実施例における端末デバイスに対応する各ステップを実行する。
【００８７】
図１０は本開示の実施例における信号伝送装置１０００を示し、例えば、当該装置１０００が方法２００のネットワークデバイスであり、当該装置１０００は、受信機１０１０、プロセッサ１０２０、送信機１０３０、メモリ１０４０及びバスシステム１０５０を含む。ここで、受信機１０１０、プロセッサ１０２０、送信機１０３０及びメモリ１０４０は、バスシステム１０５０により接続され、当該メモリ１０４０は命令を記憶し、当該プロセッサ１０２０は、当該メモリ１０４０に記憶した命令を実行して、当該受信機１０１０が信号を受信し当該送信機１０３０が命令を送信するように制御する。
【００８８】
ここで、受信機１０１０が第１端末デバイスにより送信された少なくとも１つの第１シーケンスを受信するように構成され、前記少なくとも１つの第１シーケンスは、前記第１端末デバイスのサポートするビームの数との第１対応関係を有し、プロセッサ１０２０が前記少なくとも１つの第１シーケンスに基づいて前記第１端末デバイスのサポートするビームの数を確定するように構成される。
【００８９】
なお、装置１０００が上記の実施例における方法２００のネットワークデバイスであってもよく、ネットワークデバイスに対応する各ステップ及び／又はプロセスを実行することができる。選択可能で、当該メモリ１０４０が読み取り専用メモリ及びランダムアクセスメモリを含み、プロセッサに命令及びデータを提供する。メモリが不揮発性ランダムアクセスメモリを含む。例えば、メモリは、デイバスタイプの情報を記憶する。当該プロセッサ１０２０がメモリに記憶した命令を実行し、当該プロセッサが当該命令を実行する場合、当該プロセッサが上記の方法１０００の実施例におけるネットワークデバイスに対応する各ステップを実行する。
【００９０】
なお、本発明の実施例において、プロセッサ７２０、プロセッサ８２０、プロセッサ９２０及びプロセッサ１０２０が、プロセッサが中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。汎用プロセッサは、マイクロプロセッサ、いかなる通常のプロセッサ等であってもよい。
【００９１】
なお、本明細書に記載される「及び／又は」は、関連対象の関連関係を説明するものに限られ、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【００９２】
なお、本発明の各実施例において、上記各過程の番号が実行順番の前後を意味せず、各過程の実行順番は、その機能及び組み込み論理に決定され、本発明の実施例の実行過程を限定しない。
【００９３】
本願に開示されている実施例に説明されている各例示的なユニット及びアルゴリズムのステップを結合し、電子ハードウェア、又はコンピュータソフトウェアと電子ハードウェアの結合を用いて実現することができることを、当業者であれば理解できる。これらの機能がハードウェアの形式かあるいはソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【００９４】
当業者は、上記のシステム、装置及びユニットの具体的な動作過程が、上記の方法の実施例に対する過程を参照されることを理解され、ここで説明を省略する。
【００９５】
本発明に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを他のシステムへ統合、又は集成しても良く、又は幾つかの技術的特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【００９６】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【００９７】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【００９８】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【００９９】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019535195.tif 000003
【図２】
2019535195.tif 000004
【図３】
2019535195.tif 000005
【図４】
2019535195.tif 000006
【図５】
2019535195.tif 000007
【図６】
2019535195.tif 000008
【図７】
2019535195.tif 000009
【図８】
2019535195.tif 000010
【図９】
2019535195.tif 000011
【図１０】
2019535195.tif 000012
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
第１端末デバイスがネットワークデバイスに少なくとも１つの第１シーケンスを送信することを含み、
前記少なくとも１つの第１シーケンスは、前記第１端末デバイスのサポートするビームの数との第１対応関係を有する、
ことを特徴とする信号伝送方法。
【請求項２】
前記第１対応関係は、前記少なくとも１つの第１シーケンスの各第１シーケンスが前記第１端末デバイスのサポートする１つのビームに対応するように示すために用いられ、
前記少なくとも１つの第１シーケンスの第１シーケンスの数が前記第１端末デバイスのサポートするビームの数と同じである、
ことを特徴とする請求項１に記載の信号伝送方法。
【請求項３】
前記第１端末デバイスがネットワークデバイスに少なくとも１つの第１シーケンスを送信することは、
前記第１端末デバイスが、同時刻、異なる周波数で前記ネットワークデバイスに前記少なくとも１つの第１シーケンスの各第１シーケンスをそれぞれ送信すること、又は、
前記第１端末デバイスが、異なる時刻、同じ周波数で前記ネットワークデバイスに前記少なくとも１つの第１シーケンスの各第１シーケンスをそれぞれ送信することを含む、
ことを特徴とする請求項１又は２に記載の信号伝送方法。
【請求項４】
前記方法が、さらに、
前記第１端末デバイスが、第２シーケンスを符号分割多重化の方式で拡張して前記少なくとも１つの第１シーケンスを取得することを含む、
ことを特徴とする請求項１〜３のいずれか１項に記載の信号伝送方法。
【請求項５】
前記少なくとも１つの第１シーケンスが、第３シーケンス及び第４シーケンスを含み、前記第３シーケンスと前記第４シーケンスとが、前記第１端末デバイスの１つのビームに対応し、
前記第１端末デバイスがネットワークデバイスに第１シーケンスを送信することは、
前記第１端末デバイスが第１時刻に前記ネットワークデバイスに前記第３シーケンスを送信し、前記第１時刻と異なる第２時刻に前記ネットワークデバイスに前記第４シーケンスを送信することを含む、
ことを特徴とする請求項１に記載の信号伝送方法。
【請求項６】
前記第１端末デバイスが前記ネットワークデバイスに少なくとも１つの第１シーケンスを送信することは、
前記第１端末デバイスが、第１物理リソースにおいて前記ネットワークデバイスに前記少なくとも１つの第１シーケンスを送信することを含み、
前記第１物理リソースが前記第１端末デバイスのサポートするビームの数に対応する、
ことを特徴とする請求項１〜５のいずれか１項に記載の信号伝送方法。
【請求項７】
前記方法が、さらに、
前記第１端末デバイスが前記ネットワークデバイスに第５シーケンスを送信することを含み、
前記第５シーケンスは、前記第１端末デバイスの再送データの再送回数との第２対応関係を有する、
ことを特徴とする請求項１〜６のいずれか１項に記載の信号伝送方法。
【請求項８】
ネットワークデバイスが第１端末デバイスにより送信された少なくとも１つの第１シーケンスを受信することと、
前記ネットワークデバイスが前記少なくとも１つの第１シーケンスに基づいて前記第１端末デバイスのサポートするビームの数を確定することと、を含み、
前記少なくとも１つの第１シーケンスは、前記第１端末デバイスのサポートするビームの数との第１対応関係を有する、
ことを特徴とする信号伝送方法。
【請求項９】
前記第１対応関係は、前記少なくとも１つの第１シーケンスの各第１シーケンスが前記第１端末デバイスのサポートする１つのビームに対応するように示すために用いられ、
前記少なくとも１つの第１シーケンスの第１シーケンスの数が前記第１端末デバイスのサポートするビームの数と同じである、
ことを特徴とする請求項８に記載の信号伝送方法。
【請求項１０】
前記ネットワークデバイスが第１端末デバイスにより送信された少なくとも１つの第１シーケンスを受信することは、
前記ネットワークデバイスが、前記第１端末デバイスの同時刻、異なる周波数で送信された前記少なくとも１つの第１シーケンスの各第１シーケンスをそれぞれ受信すること、又は、
前記ネットワークデバイスが、前記第１端末デバイスの異なる時刻、同じ周波数で送信された前記少なくとも１つの第１シーケンスの各第１シーケンスをそれぞれ受信することを含む、
ことを特徴とする請求項８又は９に記載の信号伝送方法。
【請求項１１】
前記少なくとも１つの第１シーケンスが、第３シーケンス及び第４シーケンスを含み、前記第３シーケンスと前記第４シーケンスとが、前記第１端末デバイスの１つのビームに対応し、
前記ネットワークデバイスが第１端末デバイスにより送信された少なくとも１つの第１シーケンスを受信することは、
前記ネットワークデバイスが、前記第１端末デバイスの第１時刻に送信された前記第３シーケンスを受信し、
前記ネットワークデバイスが、前記第１端末デバイスの前記第１時刻と異なる第２時刻に送信された前記第４シーケンスを受信することを含む、
ことを特徴とする請求項８に記載の信号伝送方法。
【請求項１２】
前記ネットワークデバイスが第１端末デバイスにより送信された少なくとも１つの第１シーケンスを受信することは、
前記ネットワークデバイスが、前記第１端末デバイスの第１物理リソースにより送信された前記少なくとも１つの第１シーケンスを受信することを含み、
前記第１物理リソースが前記第１数のビームに対応し、
前記方法が、さらに、
前記ネットワークデバイスが、前記第２端末デバイスの第２物理リソースにより送信された少なくとも１つの第６シーケンスを受信することを含み、
前記第２物理リソースが前記第２数のビームに対応し、
前記第１数が前記第２数より大きく、前記第１物理リソースの時間領域リソースが前記第２物理リソースの時間領域リソースより大きく、及び／又は、前記第１物理リソースの周波数領域リソースが前記第２物理リソースの周波数領域リソースより大きい、
ことを特徴とする請求項８〜１１のいずれか１項に記載の信号伝送方法。
【請求項１３】
前記方法が、さらに、
前記ネットワークデバイスが、前記第１端末デバイスにより送信された第５シーケンスを受信することを含み、
前記第５シーケンスは、前記第１端末デバイスの再送データの再送回数との第２対応関係を有する、
ことを特徴とする請求項８〜１２のいずれか１項に記載の信号伝送方法。
【請求項１４】
ネットワークデバイスに少なくとも１つの第１シーケンスを送信するように構成される送信モジュールを含み、
前記少なくとも１つの第１シーケンスは、前記装置のサポートするビームの数との第１対応関係を有する、
ことを特徴とする信号伝送装置。
【請求項１５】
第１端末デバイスにより送信された少なくとも１つの第１シーケンスを受信するように構成される受信モジュールと、
前記少なくとも１つの第１シーケンスに基づいて前記第１端末デバイスのサポートするビームの数を確定するように構成される確定モジュールと、を含み、
前記少なくとも１つの第１シーケンスは、前記第１端末デバイスのサポートするビームの数との第１対応関係を有する、
ことを特徴とする信号伝送装置。
【国際調査報告】
2019535195.tif 000013
2019535195.tif 000014
2019535195.tif 000015
2019535195.tif 000016
2019535195.tif 000017
2019535195.tif 000018